(57)【要約】【課題】中継可能なネットワークエントリ手順を改善する。【解決手段】移動局（ＭＳ／ＳＳ）と基地局（ＢＳ）との間の送信が少なくとも１つの中継局（ＲＳ）を介して中継される無線通信システムに関する。基地局は、移動局がレンジングコードを発行したかどうかを判断し、発行している場合には、そのことを基地局に通知する。基地局は、直接受信した又は中継局から通知されたあらゆるレンジングコードを検出し、どのように移動局へ応答すべきかを決定するために全てのこのような検出を使用する。このようにして、既存のＢＳへの最低限の変更により、レガシーＭＳ／ＳＳは、マルチホップ無線通信システムにおいてサポートされ得る。システムは、その他の点で単一ホップ無線通信のためのＩＥＥＥ８０２．１６標準に従う。【選択図】図４
2010022064.tif 000002
【特許請求の範囲】
【請求項１】
マルチホップ無線通信システムにおいて、
コードを送信するように構成された送信元装置と、
該コードを受信し、該コードの受信に応じて送信先装置に通知を送信するように構成された中継装置と、
該コードを該送信元装置から直接受信したかどうかと、該中継装置によって該コードが受信されたかどうかの双方を確認し、通信パスの選択を行うように構成された該送信先装置と、
を備えたことを特徴とするマルチホップ無線通信システム。
【請求項２】
該コードに対する応答が、該送信先装置から直接的に該送信元装置に送信されることを特徴とする前記請求項１に記載のマルチホップ無線通信システム。
【請求項３】
該応答は、該中継装置によって中継されないことを特徴とする前記請求項２記載のマルチホップ無線通信システム。
【請求項４】
該通信パスの選択によって選択されたパスが、該送信先装置と該送信元装置との間の後続する通信のために利用されることを特徴とする前記請求項１記載のマルチホップ無線通信システム。
【請求項５】
該中継装置は、該コードに関して基準が満たされた場合に、該コードの受信を該送信先装置に通知することを特徴とする前記請求項１記載のマルチホップ無線通信システム。
【請求項６】
該基準は該送信先装置から通知されることを特徴とする前記請求項５記載のマルチホップ無線通信システム。
【請求項７】
該通知は、コードインデックス又は該コードに関するCINR又は該コードの受信タイミング又は該コードの受信周波数のいずれかに関する情報を含むことを特徴とする前記請求項１記載のマルチホップ無線通信システム。
【請求項８】
該コードに対する応答は、該送信先装置から直接的に該送信元装置に送信され、該応答は、該コードによって基準が満たされない場合に調整情報を含むことを特徴とする前記請求項１記載のマルチホップ無線通信システム。
【請求項９】
マルチホップ無線通信システムのための方法において、
送信元装置からコードを送信し、
中継装置によって、該コードを受信し、
該中継装置から該コードの受信に応じて送信先装置に通知を送信し、
該送信先装置によって、該コードが送信元装置から直接的に受信されたかどうかと、該コードが該中継装置によって受信されたかどうかを確認して、通信パスを選択する、
ことを特徴とするマルチホップ無線通信システムのための方法。
【請求項１０】
マルチホップ無線通信システムにおいて用いられる送信元装置において、
コードを送信する送信機と、
該送信元装置から直接的に該コードを受信する送信先装置から、該コードに対する応答を直接的に受信し、また、該送信元装置から送信された該コードの受信に応じて通知を送信する中継装置から、該通知を受信する受信機とを備え、
該送信元装置は、直接的に受信した該コードと、該通知とに基づいて該送信先装置によって選択されたパスを用いて、該送信先装置との間で通信を行う、
ことを特徴とする送信元装置。
【請求項１１】
マルチホップ無線通信システムで用いられる中継装置において、
送信元装置から送信されるコードを受信する受信機と、
送信先装置に、該コード自体でなく、該コードの検出情報を送信する送信機とを備え、
該検出情報は、該送信先装置によって、通信パスの選択に利用される、
ことを特徴とする中継装置。
【請求項１２】
マルチホップ無線通信システムで用いられる送信先装置において、
送信元装置からコードを直接的に受信し、また、該送信元装置からの該コードの受信に応じて通知を送信する中継装置から該通知を受信する受信機とを備え、
該送信先装置は、該コードを該送信元装置から直接的に受信したかどうか、及び、該コードが該中継装置によって受信されたかどうかを確認し、通信パスの選択を行う、
ことを特徴とする送信先装置。
【発明の詳細な説明】
【技術分野】
【０００１】
現在、パケットに基づく無線及び他の通信システムではマルチホップ技術の使用に大きな関心が寄せられている。このような技術は、サービスエリアの拡大及びシステム容量（スループット）の増大の両方を可能にすると言われている。
【背景技術】
【０００２】
マルチホップ通信システムで、通信信号は、送信元装置から送信先装置へ１又はそれ以上の中間装置を介して通信経路に沿った通信方向で送信される。図１は、基地局ＢＳ（「ノードＢ」ＮＢとして３Ｇ通信システムとの関連で知られる。）と、中継ノードＲＮ（中継局ＲＳとして知られる。）と、ユーザ装置ＵＥのアイテム（移動局ＭＳ又は加入者局ＳＳとしても知られる。以下、用語ＭＳ／ＳＳはこのような形式のＵＥのうちのいずれか一方を表すために使用される。）とを有する単一セル２ホップ無線通信システムを表す。信号が基地局から送り先ユーザ装置（ＵＥ）へ中継ノード（ＲＮ）を介してダウンリンク（ＤＬ）で送信されている場合、基地局は発信局（Ｓ）を構成し、ユーザ装置は送り先局（Ｄ）を構成する。通信信号が、ユーザ装置（ＵＥ）から中継ノードを介して基地局へアップリンク（ＵＬ）で送信されている場合、ユーザ装置は発信局を構成し、基地局は送り先局を構成する。後者の通信形態は、ネットワークエントリ手順の一部として、基地局へ（ひいては、ネットワークへ）そのユーザ装置を識別するための、ユーザ装置によって送信される信号を含む。これは、以下で説明されるように、本発明に特に関連する。
【０００３】
中継ノードは、中間装置の一例であり、送信元装置からデータを受信するよう動作する受信器と、このデータ又はそれから派生したものを送信先装置へ送信するよう動作する送信器とを有する。
【０００４】
単純なアナログリピータ又はデジタルリピータは、デッドスポットでサービスエリアを改善又は提供するための中継器として使用されてきた。それらは、発信源からの送信とリピータからの送信との間の干渉を防ぐよう、発信局とは異なる送信周波数帯で動作することができる。あるいは、それらは、発信局からの送信がない場合に動作することができる。
【０００５】
図２は、中継局の多数の応用を表す。固定インフラに関して、中継局によって提供されるサービスエリアは、他の物体の陰になりうる移動局又は、基地局の正常範囲内にあるにもかかわらず、基地局から十分な強さの信号を受信することができない移動局の通信ネットワークへのアクセスを可能にするよう「全部（ｉｎ−ｆｕｌｌ）」でありうる。「範囲拡大」も示される。範囲拡大で、中継局は、移動局が基地局の正常データ送信範囲の外側にある場合にアクセスを可能にする。図２の右上に示される「全部」の一例は、地表面より上の、又は地表面にある、又は地表面より下の建物の中でサービスエリアの浸透を可能にするための遊動的な中継局の位置付けである。
【０００６】
他の応用は、イベント又は緊急事態／災害の間にアクセスを提供するよう一時的なカバー効果をもたらす遊動的な中継局である。図２の右下に示される最後の応用は、乗り物に置かれた中継器を用いてネットワークへのアクセスを提供する。
【０００７】
中継器は、また、以下で説明されるように、通信システムのゲインを高めるために高度な送信技術とともに使用され得る。
【０００８】
伝播損失、即ち「経路損失」の発生は、空間を伝播する際の無線通信の散乱又は吸収に起因して、信号の強さを弱めることが知られる。送信器と受信器との間の経路損失に影響を与える要因は、送信器アンテナの高さと、受信器アンテナの高さと、搬送波周波数と、クラッターの種類（都会、郊外、田舎）と、例えば、高さ、密度、距離間隔、地形の種類（丘陵、平面）などの形態の詳細とを含む。送信器と受信器との間の経路損失Ｌ（ｄＢ）は：
Ｌ＝ｂ＋１０ｎｌｏｇｄ          （Ａ）
によってモデル化され得る。なお、ｄ（メートル）は送信器−受信器間距離であり、ｂ（ｄＢ）及びｎは経路損失パラメータであり、吸収経路損失はｌ＝１０（Ｌ／１０）によって与えられる。
【０００９】
間接リンクＳＩ＋ＩＤで現れる吸収経路損失の合計は、直接リンクＳＤで現れる経路損失よりも低いことがある。言い換えると、
Ｌ（ＳＩ）＋Ｌ（ＩＤ）＜Ｌ（ＳＤ）          （Ｂ）
が起こり得る。
【００１０】
従って、単一送信を２（又はそれ以上）のより短い送信セグメントに分けることは、経路損失と距離との間の非線形な関係を利用する。式（Ａ）を用いる経路損失の単純な理論解析から、全体的な経路損失の減少（従って、信号強度ひいてはデータスループットの改善又は増進）は、信号が送信元装置から送信先装置へ直接送信されるのではなく、送信元装置から送信先装置へ中間装置（例えば、中継ノード。）を介して送信される場合に達成され得る。適切に実施される場合に、マルチホップ通信システムは、干渉レベルの減少をもたらし、更に、電磁放射への暴露を減少させるよう、無線通信を促す送信器の送信電力の低減を可能にすることができる。代替的に、全体的な経路損失の減少は、信号を搬送するために必要とされる放射送信電力全体を増大させることなく、受信器において受信信号品質を改善するために利用され得る。
【００１１】
マルチホップシステムは、多搬送波送信とともに使用するのに適する。例えば、ＦＤＭ（周波数分割多重）、ＯＦＤＭ（直交周波数分割多重）又はＤＭＴ（離散マルチトーン）などの多搬送波送信システムで、単一データストリームは、Ｎ個の並行な副搬送波に変調される。夫々の副搬送波は夫々の周波数範囲を有する。このことは、全ての帯域幅（即ち、所与の時間間隔に送信されるべきデータの量。）が複数の副搬送波に分けられて、夫々のデータシンボルの存続期間を増大させることを可能にする。夫々の副搬送波はより低い情報速度を有するので、多搬送波システムは、単一搬送波システムと比べて、チャネル誘導歪みに対する耐性の増進から恩恵を受ける。これは、夫々の副搬送波の伝送速度、ひいては帯域幅がチャネルのコヒーレンス帯域幅よりも狭いことを確実にすることによって可能となる。結果として、信号の副搬送波に現れるチャネル歪みは周波数に依存せず、従って、単純な位相及び振幅補正係数によって補正され得る。このようにして、多搬送波受信器におけるチャネル歪み補正エンティティは、システムの帯域幅がチャネルのコヒーレンス帯域幅を上回る場合に、単一搬送波受信器におけるその対応部分よりも著しく複雑さの程度が低い。
【００１２】
直交周波数分割多重（ＯＦＤＭ）は、ＦＤＭに基づく変調技術である。ＯＦＤＭシステムは、副搬送波のスペクトルが、相互に依存しないという事実により、干渉することなく重なり合うことができるように、数学的意味で直交する複数の副搬送波周波数を使用する。ＯＦＤＭシステムの直交性は、保護周波数帯の必要性を除き、それによって、システムのスペクトル効率を増大させる。ＯＦＤＭは、多数の無線システムに関して提案され、導入されてきた。それは、現在、非対称型デジタル加入者回線（ＡＤＳＬ）接続で、幾つかの無線ＬＡＮ用途（例えば、ＩＥＥＥ８０２．１１ａ／ｇ標準に基づくＷｉＦｉ装置。）で、及び、例えば、（ＩＥＥＥ８０２．１６標準に基づく）ＷｉＭＡＸのような（特に本発明に関連する）無線ＭＡＮ用途で使用される。ＯＦＤＭは、しばしば、符号化された直交ＦＤＭ又はＣＯＦＤＭを生成するために、チャネル符号化やエラー補正技術とともに使用される。ＣＯＦＤＭは、現在デジタル電気通信システムで幅広く使用されており、チャネル歪みの変化が周波数領域における副搬送波及び時間領域におけるシンボルの両方で見られるところの多経路環境においてＯＦＤＭに基づくシステムの性能を改善する。システムは、例えば、ＤＶＢ及びＤＡＢなどの映像及び音声放送、並びに、ある種のコンピュータネットワーク技術での使用を見出してきた。
【００１３】
ＯＦＤＭシステムで、Ｎ個の変調された並行なデータソース信号のブロックは、逆離散又は高速フーリエ変換アルゴリズム（ＩＤＦＴ／ＩＦＦＴ）を用いることによってＮ個の直交する並行な副搬送波にマッピングされて、送信器において時間領域の「ＯＦＤＭシンボル」として知られる信号を形成する。従って、ＯＦＤＭシンボルは、全てのＮ個の副搬送波信号の合成信号である。ＯＦＤＭシンボルは：
【数１】
2010022064.tif 000003
として数学的に表され得る。なお、Δｆは単位Ｈｚで表される副搬送波分離であり、Ｔｓ＝１／Δｆは単位秒で表されるシンボルの時間間隔であり、ｃｎは変調されたソース信号である。ソース信号の夫々ｃ∈Ｃｎ、ｃ（ｃ０，ｃ１．．ｃＮ−１）が変調される（１）の副搬送波ベクトルは、有限配列からのＮ個の配列シンボルのベクトルである。受信器で、受信される時間領域の信号は、離散フーリエ変換（ＤＦＴ）又は高速フーリエ変換（ＦＦＴ）アルゴリズムを適用することによって周波数領域に逆変換される。
【００１４】
ＯＦＤＭＡ（直交周波数分割多重アクセス）は、ＯＦＤＭの多重アクセス変形である。それは、個々のユーザへ副搬送波の一部を割り当てることによって機能する。これは、幾人かのユーザからの同時送信を可能にし、より良いスペクトル効率をもたらす。しかし、依然として、干渉を伴わずに、双方向通信、即ち、アップリンク方向及びダウンリンク方向での通信を可能にすることに関して課題が存在する。
【００１５】
２つのノード間の双方向通信を可能にするために、２つのよく知られる異なるアプローチは、装置が同じリソース媒体で同時に送信及び受信を行うことができないという物理的な制限を解消するよう２つ（フォワード又はダウンロード及びリバース又はアップリンク）の通信リンクをデュプレックスする目的で存在する。第１の周波数分割デュプレックス（ＦＤＤ）は、伝送媒体を２つの区別可能な帯域に細分することによって、同時に、しかし異なる周波数帯域で、一方はフォワードリンク通信であり、他方はリバースリンク通信である２つのリンクを動作させる。第２の時間分割デュプレックス（ＴＤＤ）は、フォワードリンク又はリバースリンクのいずれか一方しかどの時点においても媒体を利用しないように、同じ周波数帯域にあるが、時間において媒体へのアクセスを細分する２つのリンクを動作させる。両アプローチ（ＴＤＤ及びＦＤＤ）は夫々利点を有し、両方とも単一ホップ有線及び無線通信システムに関してよく使用される技術である。例えば、ＩＥＥＥ８０２．１６標準は、ＦＤＤ及びＴＤＤの両モードを組み込む。ＩＥＥＥ  Ｓｔｄ  ８０２．１６−２００４「固定ブロードバンド無線アクセスシステムのためのエアインターフェース（Ａｉｒ  Ｉｎｔｅｒｆａｃｅ  ｆｏｒ  Ｆｉｘｅｄ  Ｂｒｏａｄｂａｎｄ  Ｗｉｒｅｌｅｓｓ  Ａｃｃｅｓｓ  Ｓｙｓｔｅｍｓ）」は全体として参照することによって援用される。
【発明の概要】
【発明が解決しようとする課題】
【００１６】
通信がＭＳ／ＳＳとＢＳとの間で直接的に行われるところの単一ホップ通信システムで、ネットワークエントリ手順は、ＢＳとともにＭＳ／ＳＳによって続けられる。しかし、既知のネットワークエントリ手順は、ＢＳとＭＳ／ＳＳとの間の通信が１又はそれ以上の中継局ＲＳを介して行われるところのマルチホップシステムにとっては十分でない。結果として、このような場合に利用されるネットワークエントリ手順は改善される必要がある。
【課題を解決するための手段】
【００１７】
本発明は、目下参照されるべき独立クレームにおいて定義される。有利な実施形態は下位クレームにおいて記載される。
【００１８】
本発明の実施形態は、中継可能な通信ネットワークへのレガシーＭＳ又はＳＳのエントリを可能にするよう、ＢＳ及びＲＳが従うネットワークエントリ手順として導入される新規なプロトコルを用いる通信方法、通信システム、中間装置（例えば、中継局ＲＳ。）及び基地局（ＢＳ）を提供する。前記プロトコルは、全体的な処理の中央集中的な制御を可能にする。前記プロトコルは、ＩＥＥＥ８０２．１６標準で行われる現在のネットワークエントリ手順の翻案として実施されても良く、トランスペアレントな形式の中継（即ち、例えば、プリアンブル又はＭＡＰなどの制御信号を送信しない中継。）の場合のために主に設計される。本発明は、また、ＢＳ又はＲＳにおいて新規なプロトコルを実行するためのコンピュータソフトウェアを包含する。
【図面の簡単な説明】
【００１９】
【図１】単一セル２ホップ無線通信システムを示す。
【図２】中継局の応用を示す。
【図３】標準的なＭＳネットワークエントリ手順を示す。
【図４】本発明を具体化する中継可能ネットワークにおけるＢＳレンジングコード検出手順を示す。
【発明を実施するための形態】
【００２０】
以下、本発明の好ましい特徴について一例として添付の図面を参照して記載する。
【００２１】
レガシー単一ホップシステム（例えば、８０２．１６−２００４及び８０２．１６ｅ−２００５）で、標準的なネットワークエントリ手順は既に存在しており、通信ネットワークへのＭＳ又はＳＳのエントリをサポートする。しかし、ネットワークが、レガシーＭＳ又はＳＳに関する知識を全く有さない中継機能をサポートするよう変更される場合に、変更されたネットワークエントリ手順は、ＭＳ／ＳＳネットワークエントリの高速且つ効率的なサポートを容易にするようネットワークの観点から必要とされる。
【００２２】
本発明は、ネットワークの観点から変更ネットワークエントリ手順として導入される、即ち、ＲＳ及びＢＳにおいて導入される、よう意図されるプロトコルに関する。特に、それは、ＩＥＥＥ８０２．１６標準への適用を考慮して設計され、ＭＳ又はＳＳの観点からは手順への変更を要しない。それは、また、ネットワークエントリの制御が中央集中方式で（即ち、ＲＳからのある限定的な援助を伴ってＢＳで）主に実行されると仮定する場合に、トランスペアレントな中継の場合のために設計される。
【００２３】
図３は、単一ホップ通信システムへのＭＳ又はＳＳのネットワークエントリをサポートする、ＩＥＥＥ８０２．１６標準で記載されるネットワークエントリ手順を表す。
【００２４】
ここで、ＭＳがネットワークエントリ手順の間に通信しているいずれのＲＳも既にネットワーク（ちなみに、本明細書で、用語「ネットワーク」及び「システム」は同義的に使用される。）に知られているとする。例えば、ＲＳは、例えば、本願出願人による英国特許出願番号０６１６４７５．０に記載されるような別個の手順に従うネットワークへのエントリを既に完了していても良い。英国特許出願番号０６１６４７５．０の開示は参照することによって援用される。また、ネットワークがレガシーユーザをサポートするために必要とされる場合に、ＭＳ又はＳＳは、図３で表されるように、その観点から同じネットワークエントリ手順に依然として従うとする。しかし、ＲＳによって従われる手順は、ここで定義され、ＢＳによって従われる手順は、単一ホップネットワークの場合に従われる手順から変更される。説明を簡単にするために、図１のような２ホップ構造を考える。しかし、本発明はこれに限定されない。
【００２５】
図３を参照すると、以下の動作が個々の段階の間に行われる。
【００２６】
［ダウンリンクチャネルの走査］
この段階の間に、ＭＳ／ＳＳは、ＢＳのプリアンブル送信を走査する（ＲＳはこの場合にプリアンブルを送信しない点に留意すべきである。）。全ての可能性があるプリアンブルが検出されると、ＭＳは、標準的な手順に従って、どのチャネルを使用したいかを利用可能なチャネルの組から選択する。次いで、ＭＳはその受信器を送信器と同期させる。
【００２７】
新しい動作はネットワーク側では必要とされない点に留意すべきである。
【００２８】
［アップリンクパラメータの取得］
この段階の間に、ＭＳ／ＳＳは、次の段階でＭＳ／ＳＳによって使用されうるアップリンク制御情報送信範囲の位置を含むアップリンクパラメータを取得する。この動作モードのためのフレーム構造に従って、ＢＳによって通知されるアップリンクパラメータはＭＳからＲＳへのアップリンクと共通でなければならない点に留意すべきである。
【００２９】
新しい動作はネットワーク側では必要とされない点に留意すべきである。
【００３０】
［レンジング及び自動調整］
ＭＳ／ＳＳは、自身を識別するための識別情報の形式としての、ＩＥＥＥ８０２．１６標準で定義されるようなレンジングコード又はレンジングメッセージをネットワークへ送信する（ちなみに、用語「レンジングメッセージ」は、ＯＦＤＭが使用される場合により的確であり、「レンジングコード」はＯＦＤＭＡに対してより適切である。しかし、以下の記載で、「レンジングコード」はＯＦＤＭ及びＯＦＤＭＡの両方で使用される。）。マルチホップネットワークにおける多数の受信器はこの送信を受信することが可能である。
【００３１】
ＢＳは、この段階の間にレンジングコードの送信を検出しようと試みる。しかし、ＭＳ／ＳＳによって使用される送信出力が低すぎた場合には、検出はされ得ない。更に、ＢＳがコードを検出したが、受信された信号出力が低すぎる場合には、ＢＳは、無視するか、あるいは、ＭＳ／ＳＳがより高い送信出力により再送信するように、あるいは、ＭＳ／ＳＳが検出の信頼性を高めるようその送信へある他の調整を適用するように、レンジングを続けるようＭＳ／ＳＳに求めても良い。標準的な手順で、ＢＳがうまくコードを検出し、送信パラメータ設定（同期、受信信号出力など。）に満足すると、ＢＳはレンジング処理の完了をＭＳ／ＳＳに通知する。次いで、ＭＳ及びＢＳは、既知の方法で残りのネットワークエントリ手順を続ける。
【００３２】
ここで図４を参照すると、中継可能なシステムで、ある変更が、上述されたように、ネットワーク側での動作に対して必要とされる。ＲＳが存在することをＢＳが知っている場合に、ＢＳは、ＭＳへレンジングコードに関する応答を送信すべきか否かを決定する前に、ＭＳからの直接的なレンジングコードの受信を確認するだけではなく、ＲＳでのレンジングコードの検出も確認する。これは、本発明の第１の特徴である。
【００３３】
以下の３つの異なるメカニズムのいずれも、ＲＳでのレンジングコードの受信をＢＳに通知するために使用される。これらのメカニズムは、本発明の更なる特徴を形成する。
【００３４】
（ａ）ＲＳは、単純に、レンジングコードを受信して、ＢＳへ再送信する。その際、ＲＳは、ＲＳでの送信出力が妥当であることを確実にするとする。例えば、ＢＳにおけるレンジングコードの受信される搬送波対干渉及び雑音比（ＣＩＮＲ）は、ＲＳにおけるレンジングコードの受信されるＣＩＮＲと同じでなければならない。このような状況は、参照することによって援用される、本願出願人による欧州特許出願番号０５２５３７８３．４の発明が利用される場合に、自動的に生ずる。このことが確保されない場合には、検出可能性は、ＲＳ受信器での状態を正確には表さない。前記英国出願で記載される場合のように、この状況（即ち、ＣＩＮＲバランスの欠如）がＢＳにおいて知られる場合に、ＢＳは、観測されるＣＩＮＲを適切に調整することによって検出後にこの認識を正すことができる。受信信号強度（ＲＳＳＩ）はＣＩＮＲに代わるものとして使用されても良い。
【００３５】
（ｂ）ＲＳはコードを検出し、ＢＳにそのコードを送るのではなく、代わりに、検出情報を送る。検出情報は、送信器によって使用されるコードインデックス及びＲＳでの受信されるＣＩＮＲを含むが、これらに限定されない。それは、また、ＭＳからの受信信号のタイミング又は周波数確度に関する情報を含んでも良い。
【００３６】
（ｃ）代替的に、ＢＳはレンジング受入閾値（即ち、観測されるべきＣＩＮＲのレベル。）をＲＳに通知し、その場合に、ＲＳは、単純に、ユーザを検出した場合にＢＳに通知する。
【００３７】
ＢＳが上記メカニズムのうちの１つを介してＲＳからの適切な情報を有する場合に、ＢＳは、正常なアップリンクレンジング送信間隔の間に、コード検出に関する中継される情報を、ＢＳでの直接的なコード検出に関するあらゆる情報のうちの中継される情報と結合する。ＢＳは多数の中継器から中継される検出情報を受信することが可能であり、従って、ＢＳは、アービトレーションを行うべき２よりも多い情報の組を実際には有しうる点に留意すべきである。中継は、ＭＳ／ＳＳから同時に同じレンジングコードを受信する複数のＲＳにより構成されても良い。
【００３８】
代替的に、マルチホップ構造で、複数のＲＳが、ＭＳ／ＳＳとＢＳとの間の通信経路に置かれても良い。このような場合に、上記手順は、１のＲＳが他のＲＳからレンジングコード若しくは検出情報を受信する段階、及び／又は、１のＲＳが他のＲＳへレンジングコード若しくは検出情報を中継する段階を含むよう変更される。
【００３９】
処理を管理するためのＢＳにおける手順は、図４で表される。
【００４０】
レンジングが完了すると、既存のネットワークエントリ手順の残りの手順は、データのフローが選択されたルートを通って行われるとともに、ＢＳ又はＭＳによって続けられる。送信ルートは、アップリンクとダウンリンクとの間で変化しうる。特に、ダウンリンクにおける情報はＲＳを介して中継される必要がなく、従って、ＢＳからの応答はＭＳへ直接送信され得る。代替的に、複数のＲＳがアップリンクに含まれても良く、ダウンリンクに含まれるＲＳは、アップリンクに含まれる数より少ないか、あるいは全くない。
【００４１】
手短に言えば、本発明は、ネットワークが中継可能な通信ネットワークへのレガシーＭＳ又はＳＳのエントリをサポートすることを可能にする最初のレンジング手順を定義する。最低限の数の変更しか、レガシーネットワークエントリ手順に対してＢＳで必要とされない。本発明の実施形態は、技術（即ち、信号伝達オーバーヘッド、ＲＳの複雑性、ＢＳの複雑性、プロトコル信頼性。）が用いられるべきシステムにとって最も適切である技術を選択することが可能であるように、ＢＳへＲＳでのＭＳ検出情報を中継するための３つの異なるアプローチを提供する。
【００４２】
上記で、ネットワークは、あるレガシーＢＳ（即ち、既存のプロトコルに従って動作する基地局。）と、ある中継可能なＢＳ（即ち、本発明に従って動作可能であるように変更された基地局。）とから構成されうるとする。また、中継可能なＢＳは、ネットワークに入るためにＲＳから要求を受信するまで、レガシーモードで動作しうるとする。ＢＳがこのようなモードで動作しうる理由は、送信により恩恵を受ける中継が存在しない場合に中継特有の情報を送信する必要がないことによって、送信リソースを保つためである。
【００４３】
本発明の実施形態は、ハードウェアで、あるいは、１又はそれ以上のプロセッサを実行するソフトウェアモジュールとして、あるいは、それらの組合せで実施されても良い。即ち、当業者には明らかなように、マイクロプロセッサ又はデジタル信号プロセッサ（ＤＳＰ）が、本発明を具体化する送信器の機能の幾つか又は全てを実施するために実際に使用されても良い。本発明は、また、本明細書で記載される方法のいずれかの一部又は全てを実行するための１又はそれ以上の装置若しくは機器プログラム（例えば、コンピュータプログラム及びコンピュータプログラムプロダクト。）として具体化されても良い。本発明を具体化するこのようなプログラムは、コンピュータ読取可能な記録媒体に保存されても良く、あるいは、例えば、１又はそれ以上の信号の形をとっても良い。このような信号は、インターネットウェブサイトからダウンロード可能なデータ信号、又は、搬送波信号で供給されるデータ信号、又は、いずれかの他の形式のデータ信号でありうる。
【００４４】
本発明を具体化するプログラムは、また、上述されたようなＲＳの機能を適切なハードウェアを有するＭＳ／ＳＳへ付加するために使用されても良い。
【００４５】
（付記１）  送信元装置及び送信先装置を有し、少なくとも前記送信元装置から前記送信先装置への送信は中間装置を介して行われ、前記送信元装置は自身を識別するための識別メッセージを無線通信システムへ送信するよう配置される前記無線通信システムにおける使用のための送信方法であって、前記中間装置において、前記送信元装置からの識別メッセージが受信されるかどうかを判断し、受信される場合に、前記識別メッセージの受信を前記送信先装置に通知する段階と、前記送信先装置において、前記送信元装置から前記送信先装置で直接受信されるあらゆる識別メッセージを検出し、前記中間装置が前記識別メッセージの受信を前記送信先装置に通知したかどうかを検出し、これらの検出結果を前記送信元装置へ応答を送信すべきかどうかを決定するために使用する段階とを有する送信方法。
【００４６】
（付記２）  前記中間装置は、前記送信先装置へ前記識別メッセージを再送信することによって、前記識別メッセージの受信を前記送信先装置に通知する、付記１記載の送信方法。
【００４７】
（付記３）  前記中間装置は、前記送信先装置へ通知メッセージを送信することによって、前記識別メッセージの受信を前記送信先装置に通知する、付記１記載の送信方法。
【００４８】
（付記４）  前記送信先装置は、前記識別メッセージの受入基準を前記中間装置に予め通知し、前記中間装置は、前記基準を満足する識別メッセージが受信されたと判断すると、前記送信先装置に通知する、付記１記載の送信方法。
【００４９】
（付記５）  前記送信先装置は、直接受信されるあらゆる識別メッセージ及び前記中間装置から再送信される前記識別メッセージを受入基準と比較する、付記２記載の送信方法。
【００５０】
（付記６）  前記通知メッセージは、受信された識別メッセージの品質に関する情報を含み、前記送信先装置は、直接受信されるあらゆる識別メッセージ及び前記中間装置からの前記通知メッセージに含まれる前記情報を受入基準と比較する、付記３記載の送信方法。
【００５１】
（付記７）  前記比較の結果、前記受入基準を満足する識別メッセージが受信されなかった場合に、前記送信先装置は前記識別メッセージの再送信の要求を送信する、付記５又は６記載の送信方法。
【００５２】
（付記８）  前記受入基準は、前記識別メッセージの搬送波対干渉及び雑音比（ＣＩＮＲ）に関する、付記４乃至７のうちいずれかひとつに記載の送信方法。
【００５３】
（付記９）  前記受入基準は、前記識別メッセージの受信信号強度（ＲＳＳＩ）に関する、付記４乃至７のうちいずれかひとつに記載の送信方法。
【００５４】
（付記１０）  前記送信元装置から前記識別メッセージを夫々受信可能な複数の中間装置が存在する場合に、前記送信先装置において、どのように前記送信元装置へ応答を送信すべきかを決定するよう複数の検出の間でアービトレーションを行う段階を更に有する、付記１乃至９のうちいずれかひとつに記載の送信方法。
【００５５】
（付記１１）  前記送信元装置と前記送信先装置との間にマルチホップ形式で配置される複数の中間装置が存在する場合に、前記通知段階は、前記識別メッセージの受信を他の中間装置に通知する段階を含む、付記１乃至１０のうちいずれかひとつに記載の送信方法。
【００５６】
（付記１２）  前記識別メッセージはレンジングコードであり、前記送信先装置の応答はレンジング応答である、付記１乃至１１のうちいずれかひとつに記載の送信方法。
【００５７】
（付記１３）  前記送信元装置は携帯端末である、付記１乃至１２のうちいずれかひとつに記載の送信方法。
【００５８】
（付記１４）  前記送信先装置は基地局である、付記１乃至１３のうちいずれかひとつに記載の送信方法。
【００５９】
（付記１５）  前記中間装置は中継局である、付記１乃至１４のうちいずれかひとつに記載の送信方法。
【００６０】
（付記１６）  前記システムはＯＦＤＭ又はＯＦＤＭＡシステムである、付記１乃至１５のうちいずれかひとつに記載の送信方法。
【００６１】
（付記１７）  送信元装置、送信先装置及び少なくとも１つの中間装置を有し、少なくとも前記送信元装置から前記送信先装置への送信は前記中間装置を介して行われ、前記送信元装置は自身を識別するための識別メッセージを当該無線通信システムへ送信するよう配置される無線通信システムであって、前記中間装置は、前記送信元装置からの識別メッセージが受信されるかどうかを判断し、受信される場合に、前記識別メッセージの受信を前記送信先装置に通知する手段を有し、前記送信先装置は、前記送信元装置から前記送信先装置で直接受信されるあらゆる識別メッセージを検出し、前記中間装置が前記識別メッセージの受信を前記送信先装置に通知したかどうかを検出する検出手段と、該検出手段の出力に応答して、前記送信元装置へ応答を送信すべきかどうかを決定する決定手段とを有する無線通信システム。
【００６２】
（付記１８）  前記中間装置は、前記送信先装置へ前記識別メッセージを再送信することによって、前記識別メッセージの受信を前記送信先装置に通知する手段を有する、付記１７記載の無線通信システム。
【００６３】
（付記１９）  前記中間装置は、前記送信先装置へ通知メッセージを送信することによって、前記識別メッセージの受信を前記送信先装置に通知する手段を有する、付記１７記載の無線通信システム。
【００６４】
（付記２０）  前記送信先装置は、前記識別メッセージの受入基準を前記中間装置に通知する手段を有し、前記中間装置は、前記基準を満足する識別メッセージが受信されたと判断すると、前記送信先装置に通知するよう配置される、付記１７記載の無線通信システム。
【００６５】
（付記２１）  情報を送受信するよう夫々配置される加入者局及び基地局と、少なくとも前記加入者局から前記基地局へのアップリンクに置かれる１又はそれ以上の中継局とを有し、前記加入者局は自身を識別するためのレンジングメッセージを当該無線通信システムへ送信する無線通信システムであって、夫々の中継局は、レンジングメッセージが前記加入者局から又は下流の中継局から受信されたかどうかを判断し、受信される場合に、前記レンジングメッセージの受信を前記基地局又は上流の中継局に通知する手段を有し、前記基地局は、該基地局が前記加入者局から直接受信したあらゆるレンジングメッセージを検出し、いずれかの中継局が前記加入者局から発せられたレンジングメッセージの受信を前記基地局に通知したかどうかを検出する検出手段と、これらの検出結果を用いて、どのように前記加入者局へ応答を送信すべきか否かを決定する決定手段とを有する無線通信システム。
【００６６】
（付記２２）  送信元装置から中間装置へ及ぶ通信経路と、前記中間装置から送信先装置へ及ぶ通信経路とを形成することによって、無線通信システムで前記送信元装置と前記送信先装置との間の情報の送信及び受信を容易にし、前記無線通信システムに対する前記送信元装置を識別する識別メッセージを含む前記送信元装置からの情報を受信して処理するよう動作する中間装置であって、前記送信元装置からの識別メッセージが受信されるかどうかを判断し、受信される場合に、前記識別メッセージの受信を前記送信先装置に通知する手段を有する中間装置。
【００６７】
（付記２３）  前記送信先装置へ前記識別メッセージを再送信することによって、前記識別メッセージの受信を前記送信先装置に通知するよう配置される、付記２２記載の中間装置。
【００６８】
（付記２４）  前記送信先装置へ通知メッセージを送信することによって、前記識別メッセージの受信を前記送信先装置に通知するよう配置される、付記２２記載の中間装置。
【００６９】
（付記２５）  前記送信先装置が、前記識別メッセージの受入基準を前記中間装置に予め通知する場合に、前記基準を満足する識別メッセージが受信されたと判断すると、前記送信先装置に通知するよう配置される、付記２２記載の中間装置。
【００７０】
（付記２６）  情報を送信及び受信するよう夫々配置される加入者局及び少なくとも１つの中継局とともに通信システムを形成し、前記加入者局は、更に、自身を識別するための識別メッセージを前記通信システムへ送信するよう配置され、前記中継局は、更に、このような識別メッセージの受信を当該基地局に通知するよう配置される基地局であって、前記加入者局から直接受信されるあらゆるレンジングメッセージを検出し、前記中継局が前記識別メッセージの受信を当該基地局に通知したかどうかを検出する検出手段と、該検出手段の結果を用いて、前記加入者局へ応答を送信すべきかを決定する決定手段とを有する基地局。
【００７１】
（付記２７）  無線通信システムの少なくとも送信先装置及び中間装置で実行される場合に、付記１乃至１６のうちいずれかひとつに記載の送信方法を実行するプログラムコードを記憶するコンピュータ読取可能な記録媒体。
【符号の説明】
【００７２】
ＢＳ  基地局
ＲＳ  中継局（中間装置）
ＭＳ  移動局
ＳＳ  加入者局
ＵＥ  ユーザ装置
Ｌ    経路損失
【図１】
2010022064.tif 000004
【図２】
2010022064.tif 000005
【図３】
2010022064.tif 000006
【図４】
2010022064.tif 000007